(57)【特許請求の範囲】
【請求項１】
複数対の入力端子及び出力端子を有するユニット本体と、各対の前記入力端子及び前記出力端子を相互に接続する複数の接続線路を有する回路基板と、を備える複数系統用直列ユニットにおいて、
前記回路基板の前記複数の接続線路の相互間に、該相互間における漏れ信号を遮蔽する遮蔽板を備え、
前記ユニット本体に固定され前記回路基板及び前記遮蔽板を前記ユニット本体の外部に対して非露出状とする本体カバーを備え、前記遮蔽板は前記ユニット本体及び本体カバーに当接して該ユニット本体及び本体カバーにて形成される空間部を分割し、前記遮蔽板の前記本体カバーに対する接触端部を前記本体カバーに対して非直交状となる湾曲形状としたことを特徴とする複数系統用直列ユニット。
【請求項２】
複数対の入力端子及び出力端子を有するユニット本体と、各対の前記入力端子及び前記出力端子を相互に接続する複数の接続線路を有する回路基板と、を備える複数系統用直列ユニットにおいて、
前記回路基板の前記複数の接続線路の相互間に、該相互間における漏れ信号を遮蔽する遮蔽板を備え、
前記ユニット本体に固定され前記回路基板及び前記遮蔽板を前記ユニット本体の外部に対して非露出状とする本体カバーを備え、該本体カバーには前記回路基板における前記複数の接続線路の相互間に向けて突出する第１の分割板を設け、前記ユニット本体には前記回路基板における前記複数の接続線路の相互間に向けて突出する第２の分割板を設け、これら第１の分割板と第２の分割板にて前記回路基板を挟持することにより前記遮蔽板を形成することを特徴とする複数系統用直列ユニット。
【請求項３】
前記回路基板にはアースパターンを設け、前記第１の分割板及び又は前記第２の分割板には前記回路基板を貫通する突出片を設け、前記第１の分割板又は前記第２の分割板のいずれか一方を前記アースパターンに直接的に接触させると共に、いずれか他方を前記突出片を介して前記アースパターンに間接的に接触させることを特徴とする請求項２に記載の複数系統用直列ユニット。
【発明の詳細な説明】
【０００１】
【発明の属する技術分野】
本発明は、建屋壁面等に設置されてテレビ受像機に複数系統のテレビ信号を伝送する複数系統用直列ユニットに関する。
【０００２】
【従来の技術】
共聴施設等においてＣＡＴＶやＣＳ放送等の複数系統のＴＶ信号をテレビ受像機に伝送するための複数系統用直列ユニットが従来より提案されている。以下、２系統のＴＶ信号を伝送する２系統用直列ユニットの場合を例にとって説明する。図１は従来及び後述する本発明の一実施形態に共通の２系統用直列ユニットの側面図、図２は図１の２系統用直列ユニットの背面図である（なお複数系統用直列ユニットが建屋壁面等に設置された場合において、室内側に対向する複数系統用直列ユニットの面を正面、該正面の反対側の面を背面とする。また図１の符号正視方向における上下方向を複数系統用直列ユニットの上下方向とする。以下同じ）。
【０００３】
この図１に示すように２系統用直列ユニットは、２対の入力端子１０ａ、１０ｂ及び出力端子１１ａ、１１ｂを有するユニット本体１を備え、該ユニット本体１の内部には各対の入力端子１０ａ、１０ｂ及び出力端子１１ａ、１１ｂを相互に接続する２本の接続線路を有する回路基板（図１，２において図示せず）が納められている。またユニット本体１の背面側には本体カバー４が設けられており、該本体カバー４によって回路基板がユニット本体１の外部に対して非露出状に覆われている。
そしてユニット本体１及び本体カバー４は建屋壁面５に設けたアウトレットボックス（図示せず）内に納められ、ユニット本体１の上下両端に突設した取付耳部１２、１２が建屋壁面５にネジ止めされることにより、ユニット本体１等が建屋に固定される。ユニット本体１の背面の入力端子１０ａ、１０ｂにはアウトレットボックス内に引き込まれた同軸ケーブル６ａ、６ｂが、ユニット本体１の正面の出力端子１１ａ、１１ｂにはテレビ受像機（図示せず）に至る同軸ケーブル７ａ、７ｂが、それぞれＦ型接栓（図示せず）を介して接続される。なお、ユニット本体１の表面には出力端子１１ａ、１１ｂを囲むプレートが取り付けられるが、出力端子１１ａ、１１ｂを見せるために図示を省略する。
【０００４】
図９は従来の回路基板の接続線路の概念図である。この図９に示すように、入力端子１０ａから入力されたＴＶ信号は接続線路２０ａを介して出力端子１１ａへ（この経路を以下、ａ系統とする）、入力端子１０ｂから入力されたＴＶ信号は接続線路２０ｂを介して出力端子１１ｂへ（この経路を以下、ｂ系統とする）、それぞれ出力される。この回路基板は直列ユニット内に収まるような小さいものであり、接続線路２０ａ、２０ｂは相互に近接して回路基板上に配置されている。そのため、入力端子１０ａ、１０ｂから入力されたＴＶ信号はそれぞれの出力端子１１ａ、１１ｂから出力されるだけではなく、他方の系統の出力端子１１ａ、１１ｂに漏れて出力されることがある。この漏れの度合を表す値として端子間分離度があり、この端子間分離度は「ａ系統又はｂ系統のいずれか一方の系統の入力端子に入力されたＴＶ信号のレベル」―「該一方の系統から他方の系統の出力端子に漏れたＴＶ信号のレベル」と定義される。またＳＮは「ａ系統又はｂ系統のいずれか一方の系統の出力端子に出力されたＴＶ信号のレベル」―「該一方の系統に対し、他方の系統から漏れたＴＶ信号のレベル」と定義される。この定義から分かるように、端子間分離度が大きい程、ａ系統とｂ系統の相互間に漏れる信号レベルは小さくなると共にＳＮが大きくなる。
【０００５】
ここで、２系統の相互間でＴＶ信号の周波数帯域が重なる場合において（例えばａ系統への入力信号がＶＨＦ、ＵＨＦ及びＢＳのＴＶ信号７０〜１８９５ＭＨｚ、ｂ系統への入力信号がＣＡＴＶのＴＶ信号１０〜７７０ＭＨｚの場合）、ＳＮが小さいと重複周波数帯域の信号に対して種々の問題が生じることが知られている。具体的には、両系統への入力信号がいずれもアナログ信号である場合や、一方がアナログで他方がデジタルである場合には、アナログ信号側にデジタル信号が漏れて、アナログ側の出力信号にノイズが発生する。また入力信号がいずれもデジタル信号である場合には、漏れ信号を受けた出力信号にブロックノイズが発生し、さらにＳＮが小さくなるとテレビ受像機の画面が真っ黒になる。
【０００６】
【発明が解決しようとする課題】
しかしながら従来の複数系統用直列ユニットにおいては、入力端子及び出力端子を接続するための回路基板に単に複数の接続線路のみが設けられていたので、端子間分離度が小さいために大きなレベルの信号が漏れ、ＳＮが小さくなって出力信号に悪影響を及ぼすおそれがあった。
具体的測定値を例示すると、両系統への入力信号がいずれもＶＨＦ信号・ＵＨＦ信号である場合において、端子間分離度は５０ｄＢであり、入力レベル差が１０ｄＢある場合にはＳＮが４０ｄＢとなって出力信号にノイズが発生した。また両系統への入力信号がいずれもＣＳ放送用信号（デジタル信号）である場合において、端子間分離度は４０ｄＢであり、入力レベル差が３１ｄＢある場合にはＳＮが９ｄＢとなって出力信号にノイズが発生した。また一方の系統への入力信号がＣＳ放送用信号、他方の系統への入力信号がＢＳ放送用信号（アナログ信号）である場合において、端子間分離度は４０ｄＢであり、入力レベル差が２９ｄＢある場合にはＳＮが１１ｄＢとなって出力信号にノイズが発生した。これら測定値、及び余裕分や標準的な入力レベル差等を考慮すると、ＶＨＦ・ＵＨＦ帯の信号を伝送する場合には端子間分離度が７０ｄＢ以上、ＢＳ・ＣＳ帯の信号を伝送する場合には端子間分離度が４０ｄＢ以上あることが望ましく、いずれにしても従来の複数系統用直列ユニットの端子間分離度を向上させてＳＮを大きくする必要があった。
【０００７】
本発明は、従来のこのような複数系統用直列ユニットにおける問題点に鑑みてなされたもので、端子間分離度を向上させＳＮが大きくノイズ発生等のない信号伝送を行うことのできる複数系統用直列ユニット及びその製造方法を提供することを目的とする。
【０００８】
【課題を解決するための手段】
上記従来の複数系統用直列ユニットにおける問題点を解決するために請求項１に記載の本発明は、複数対の入力端子及び出力端子を有するユニット本体と、各対の前記入力端子及び前記出力端子を相互に接続する複数の接続線路を有する回路基板と、を備える複数系統用直列ユニットにおいて、前記回路基板の前記複数の接続線路の相互間に、該相互間における漏れ信号を遮蔽する遮蔽板を備え、前記ユニット本体に固定され前記回路基板及び前記遮蔽板を前記ユニット本体の外部に対して非露出状とする本体カバーを備え、前記遮蔽板は前記ユニット本体及び本体カバーに当接して該ユニット本体及び本体カバーにて形成される空間部を分割し、前記遮蔽板の前記本体カバーに対する接触端部を前記本体カバーに対して非直交状となる湾曲形状としたことを特徴として構成されている。
【００１２】
また請求項２に記載の本発明は、複数対の入力端子及び出力端子を有するユニット本体と、各対の前記入力端子及び前記出力端子を相互に接続する複数の接続線路を有する回路基板と、を備える複数系統用直列ユニットにおいて、前記回路基板の前記複数の接続線路の相互間に、該相互間における漏れ信号を遮蔽する遮蔽板を備え、前記ユニット本体に固定され前記回路基板及び前記遮蔽板を前記ユニット本体の外部に対して非露出状とする本体カバーを備え、該本体カバーには前記回路基板における前記複数の接続線路の相互間に向けて突出する第１の分割板を設け、前記ユニット本体には前記回路基板における前記複数の接続線路の相互間に向けて突出する第２の分割板を設け、これら第１の分割板と第２の分割板にて前記回路基板を挟持することにより前記遮蔽板を形成することを特徴として構成されている。
【００１３】
また請求項３に記載の本発明は、請求項２に記載の本発明において、前記回路基板にはアースパターンを設け、前記第１の分割板及び又は前記第２の分割板には前記回路基板を貫通する突出片を設け、前記第１の分割板又は前記第２の分割板のいずれか一方を前記アースパターンに直接的に接触させると共に、いずれか他方を前記突出片を介して前記アースパターンに間接的に接触させることを特徴として構成されている。
【００１５】
【発明の実施の形態】
以下、本発明たる複数系統用直列ユニット及びその製造方法の第１の実施形態について図面を参照して詳細に説明する。なお本実施形態においては２系統のＴＶ信号を伝送する２系統用直列ユニットの場合を例にとって説明するが、本発明は３以上の複数系統のＴＶ信号を伝送する直列ユニットにも同様に適用できるものである。図１は本実施形態における２系統用直列ユニットの側面図、図２は図１の２系統用直列ユニットの背面図、図３は本実施形態における２系統用直列ユニットの分解斜視図である。
【００１６】
図１〜３に示すように本実施形態の２系統用直列ユニットは、ユニット本体１、回路基板２、遮蔽板３、及び本体カバー４を備えて構成されている。
ユニット本体１は、正面形状を略Ｔ字状とすると共に背面側を開放された中空箱体として形成されている。このユニット本体１の背面には入力端子１０ａ、１０ｂ、正面には出力端子１１ａ、１１ｂが設けられおり、入力端子１０ａと出力端子１１ａ、入力端子１０ｂと出力端子１１ｂとがそれぞれ対となってＴＶ信号の伝送を行う。なおユニット本体１の内部には、回路基板２を載置固定するための複数の固定ピン１３、１３が設けられている。なおこれらユニット本体１、入力端子１０ａ、１０ｂ、出力端子１１ａ、１１ｂ、及び固定ピン１３、１３は、ダイカスト合金にて一体にダイカスト成形されている。
【００１７】
回路基板２は、ユニット本体１の内部に配置されるもので、ユニット本体１に対応して正面形状をＴ字状に形成されている。この回路基板２の表面には、各対の入力端子１０ａ、１０ｂ及び出力端子１１ａ、１１ｂに半田付けにて電気的に接続されてこれら端子を相互に接続する２本の接続線路２０ａ、２０ｂが設けられており、また接続線路２０ａ、２０ｂの周囲のほぼ全面にはアースを行うためのアースパターン２０ｃが露出している。この回路基板２の周囲には、上記ユニット本体１の複数の固定ピン１３、１３に対応する位置及び形状にて複数の切欠部２１、２１が形成されている。また回路基板２には、接続線路２０ａと接続線路２０ｂとの間に延びるスリット２２が形成されている。
【００１８】
遮蔽板３は、回路基板２と共にユニット本体１の内部に配置される金属製の板体で、回路基板２の接続線路２０ａ、２０ｂの相互間における漏れ信号を遮蔽する。この遮蔽板３の形状及び回路基板２との関係については後述する。
本体カバー４は、ユニット本体１の背面側に固定されて回路基板２及び遮蔽板３をユニット本体１の外部に対して非露出状に覆うもので、ユニット本体１に対応して正面形状をＴ字状に形成されている。この本体カバー４もダイカスト合金にて形成されている。
【００１９】
このように構成された直列ユニットは、建屋壁面５に設けたアウトレットボックス（図示せず）内に納められ、図１、２に示すユニット本体１の上下両端に突設した取付耳部１２が建屋壁面５にネジ止めされることにより、ユニット本体１が建屋に固定される。ユニット本体１の背面の入力端子１０ａ、１０ｂにはアウトレットボックス内に引き込まれた同軸ケーブル６ａ、６ｂが、ユニット本体１の正面の出力端子１１ａ、１１ｂにはテレビ受像機（図示せず）に至る同軸ケーブル７ａ、７ｂが、それぞれＦ型接栓（図示せず）を介して接続される。すなわち同軸ケーブル６ａから伝送されたＴＶ信号は入力端子１０ａ、接続線路２０ａ、及び出力端子１１ａを介して同軸ケーブル７ａに伝送され、同軸ケーブル６ｂから伝送されたＴＶ信号は入力端子１０ｂ、接続線路２０ｂ、及び出力端子１１ｂを介して同軸ケーブル７ｂに伝送される。
【００２０】
次に、遮蔽板３の形状及び回路基板２との関係について説明する。図４は遮蔽板３を示す図であり、（ａ）は正面図、（ｂ）は側面図を示し、また図５には回路基板２と遮蔽板３を相互に組合わせた状態を斜視図として示す。また図６にはユニット本体１内部に回路基板２及び遮蔽板３を配置すると共に回路基板２をユニット本体１に対して固定した状態を斜視図として示し、図７には遮蔽板３を回路基板２に対して固定した状態を斜視図として示す。
遮蔽板３は図４（ａ）（ｂ）に示すように薄厚状に形成され、回路基板２のスリット２２に対応する位置に、回路基板２の厚みより若干広い幅のスリット３１が形成されている。そしてこれらスリット２２、３１を互いに入れ込むことによって、図５に示すように回路基板２と遮蔽板３とが相互に組合わせられている。
【００２１】
ここで、回路基板２と遮蔽板３を組合せ、かつ遮蔽板３を回路基板２に対して直交させた状態において、遮蔽板３のスリット３１から上端に至る高さＨ１及び遮蔽板３のスリット３１から下端に至る高さＨ２はそれぞれ、回路基板２から本体カバー４の内部上面に至る高さ、回路基板２からユニット本体１の内部底面に至る高さにほぼ等しくなるように決定されている。また遮蔽板３の全長Ｌは、図７に示すように遮蔽板３の長手方向（図４の全長Ｌの方向）の両端部がユニット本体１の壁面内部に当接する程度の長さに決定されている。すなわち遮蔽板３によって、ユニット本体１及び本体カバー４にて形成される空間部が、接続線路２０ａの位置する空間部と接続線路２０ｂの位置する空間部とに２分割されている。
【００２２】
また遮蔽板３の周囲には、図４に示すように、ユニット本体１の内部底面及び本体カバー４の内部上面に形成した複数のリブ１４、１４に対応する位置及び形状にて、方形状及び斜め形状の複数の切欠部３２、３２が形成されている。したがってリブ１４が障害となることなく、遮蔽板３をユニット本体１及び本体カバー４に密接させることができる。なお図４（ｂ）に示すように遮蔽板３の本体カバー４に対する接触端部３３は湾曲状とされているが、この形状及び意義については後述する。
【００２３】
次に回路基板２と遮蔽板３との電気的関係について説明する。
まず回路基板２は、図３に示すユニット本体１の固定ピン１３、１３上に載置された状態において、該固定ピン１３、１３の先端部が回路基板２周囲の切欠部２１、２１を介して該回路基板２の反対側に突出する。そして図６に示すように、このように突出した固定ピン１３、１３の先端部を回路基板２に対して半田付けすることにより（この半田を符号８にて示す）、回路基板２がユニット本体１に対して固定されると共に回路基板２のアースパターン２０ｃが固定ピン１３に接続される。
また遮蔽板３は、図７に示すように、回路基板２との接続部周辺を半田付けされることにより（この半田を符号９にて示す）、回路基板２に対して固定されると共に回路基板２のアースパターン２０ｃに接続される。したがって遮蔽板３からアースパターン２０ｃ及び固定ピン１３を介してユニット本体１に至るアース経路が確立される。
【００２４】
さて、これまで説明したように遮蔽板３を設けたことから、接続線路２０ａ、２０ｂの相互間の漏れ信号が遮蔽板３にて遮蔽され、端子間分離度を向上させることができる。具体的測定値を例示すると、両系統への入力信号がいずれもＶＨＦ信号・ＵＨＦ信号である場合において、端子間分離度は５０ｄＢから８０ｄＢに向上した。また両系統への入力信号がいずれもＣＳ信号である場合や、一方の系統への入力信号がＢＳ信号であって他方の系統への入力信号がＣＳ信号である場合において、端子間分離度は４０ｄＢから６０ｄＢに向上した。したがってノイズ発生のない十分な端子間分離度を得られることが確認された。
【００２５】
次に、これまで説明した２系統直列ユニットの製造方法の一実施形態について説明する。まず図５に示すように、回路基板２のスリット２２と遮蔽板３のスリット３１とを互いに入れ込むことによって、これら回路基板２と遮蔽板３とを相互に組合わせる。ここでスリット２２、３１の形状は、回路基板２に対して遮蔽板３を非直交状に傾けることができるような余裕を持つように決定されている。そしてこの段階においては回路基板２に対して遮蔽板３は非直交状に組合わせられる（このように組合わせることを以下、仮組みと称する）。
【００２６】
その後図６に示すように、別工程にてダイカスト成形したユニット本体１の内部に対して、仮組みした回路基板２及び遮蔽板３を配置する。この状態において回路基板２はユニット本体１の固定ピン１３、１３上に載置されると共に、該固定ピン１３、１３の先端部が回路基板２の反対側に突出する。そしてこのように突出した固定ピン１３、１３の先端部を回路基板２に対して半田付けする。
【００２７】
その後図７に示すように、遮蔽板３が回路基板２に対して直交するように、遮蔽板３を治具（図示せず）を介して立て起こし、これら回路基板２と遮蔽板３との接触部周辺を半田付けすることにより、遮蔽板３を回路基板２に対して固定する。
このように回路基板２をユニット本体１に対して固定した後、遮蔽板３を回路基板２に対して固定するのは次の理由による。すなわち遮蔽板３を回路基板２に対して固定した後でこれらをユニット本体１内部に配置しようとすると、遮蔽板３は上述のようにユニット本体１の内部に密接するように形成されているため、実際には遮蔽板３の弾性力に抗して回路基板２をユニット本体１側に押圧する必要が生じる。したがってこの押圧のための機構が必要となり、また押圧によって回路基板２に負荷が加わり好ましくない。さらにはユニット本体１に対する回路基板２の取付け精度が低下することも考えられる。このような問題点を解決するため本実施形態においては、上述のように回路基板２と遮蔽板３を固定することなく仮組した状態でユニット本体１に配置し、回路基板２の固定後に遮蔽板３の立て起こしを行っているのである。
【００２８】
このように遮蔽板３の立て起こしを行った後（または可能であればその前に）、入力端子１０ａ、１０ｂ及び出力端子１１ａ、１１ｂの内部ピース１５をこれら入力端子等の内部に差し込み、その接続線を回路基板２の接続線路２０ａ、２０ｂに半田付けする。
その後、本体カバー４をユニット本体１に対してネジ止め固定する。ここで本体カバー４を取付ける際、遮蔽板３は上述のように本体カバー４の内部等に密接するように形成されているため、実際には遮蔽板３の弾性力に抗して本体カバー４をユニット本体１側に押圧する必要が生じる。しかしながら遮蔽板３の端部を本体カバー４に対して直交させた場合には本体カバー４の押圧が困難になり、また遮蔽板３を不用意に変形させるおそれがある。したがって本実施形態においては図４（ｂ）に示すように、遮蔽板３の本体カバー４に対する接触端部３３を本体カバー４に対して非直交状となる湾曲形状とし、遮蔽板３に加わる押圧力を非直交方向へ逃がしている。このようにして本体カバー４を固定することにより直列ユニットの製造が完了する。
【００２９】
次に本発明たる複数系統用直列ユニットの第２の実施形態について説明する。ただし特に説明なき構成については第１の実施形態と同じであり、また同じ構成要素を同符号にて示す。図８は本実施形態における２系統用直列ユニットの分解斜視図である（本体カバーの一部を破断して示す）。この図８に示すように、本体カバー４には回路基板２の接続線路２０ａ、２０ｂの相互間に向けて突出する第１の分割板３４が予め一体に設けられており、またユニット本体１には回路基板２の接続線路２０ａ、２０ｂの相互間に向けて突出する第２の分割板３５が予め一体に設けられている。ここで第１の分割板３４は図４（ａ）に示す高さＨ１より若干高めに形成され、また回路基板２に対して直交するような角度に配置されている。また第２の分割板３５は図４（ａ）に示す高さＨ２より若干高めに形成され、やはり回路基板２に対して直交するような角度に配置されている。したがって回路基板２及び本体カバー４をユニット本体１に対して固定した状態において、第１の分割板３４がその下面において回路基板２の上面に接触し、また第２の分割板３５がその上面において回路基板２の下面に接触して、これら第１の分割板３４と第２の分割板３５にて回路基板２が上下から挟持され、これによって接続線路２０ａ、２０ｂの相互間における漏れ信号を遮蔽する遮蔽板が形成される。
【００３０】
このように本実施形態においては遮蔽板を分割構成し、回路基板を挟持することにより一体となるようにしているので、本体カバー４をユニット本体１に対して固定するだけで遮蔽板を構成してその取付けを行うことができる。特に第１の分割板３４と第２の分割板３５それぞれを本体カバー４又はユニット本体１に一体に設けているので、遮蔽板を取付ける手間を完全に省略することができる。なお本実施形態における遮蔽板は回路基板２に対して半田付けされないが、回路基板２における第１の分割板３４との（接続線路２ａ、２ｂの相互間に位置する）接触面には、第１の実施形態と同様のアースパターン２０ｃが予め設けられている。そして上述の挟持構造によってこれら第１の分割板３４がアースパターン２０ｃに接触するため、第１の分割板３４をアースパターン２０ｃに直接的に接続することができ、漏れ信号をアースすることができる。
【００３１】
ここで、第１の分割板３４の下面には、第２の分割板３５に向けて突出する２つの突出片３７、３７が形成されている。また回路基板２には、突出片３７、３７に対応する位置及び形状にて、該突出片３７、３７を貫通させる貫通孔２３が設けられている。そして回路基板２及び本体カバー４をユニット本体１に対して固定した状態において、第１の分割板３４の突出片３７、３７が貫通孔２３を貫通し、第２の分割板３５に接触する。したがって第１の分割板３４と第２の分割板３５とが相互に電気的に接続されるため、第２の分割板３５を突出片３７及び第１の分割板３４を介してアースパターン２０ｃに間接的に接続することができ、漏れ信号をアースすることができる。
【００３２】
ただし回路基板２を両面基板としてその両面にアースパターン２０ｃを設けた場合には、第２の分割板３５を回路基板の裏面のアースパターン２０ｃに直接接触させてアースを行うことができるため、第１の分割板３４と第２の分割板３５とを相互に接触させる必要はなく、突出片３７や貫通孔２３は不要である。また突出片３７や貫通孔２３の数及び位置は図示のものに限られず、例えば突出片３７を第１の分割板３４の長手方向の中心に一つだけ設けてもよく、あるいは貫通孔２３を第１の実施形態のようなスリット形状とすると共に突出片３７を第１の分割板３４の長手方向に沿って長手形状としてもよい。また突出片３７は第２の分割板３５側に設けてもよく、あるいは複数の突出片３７を第１の分割板３４と第２の分割板３５とに一つおきに設けてもよく、あるいは半分の高さの突出片３７を第１の分割板３４と第２の分割板３５の両方に設けてもよい。また第１の分割板３４と第２の分割板３５との相互の電気的接続を突出片３７以外にて行ってもよい。
【００３３】
さてこれまで本発明の第１及び第２の実施形態について説明したが、本発明は上記に示した実施形態に限定されず、その技術的思想の範囲内において種々異なる形態にて実施されてよいものであり、以下、これら異なる形態について説明する。
まずユニット本体、回路基板、及び本体カバーの構造は上記実施形態に示した構造以外に任意の構造が採用されてよい。
また遮蔽板は上記条件を満たす種々の金属にて形成することができ、例えば弾性に優れた燐青銅にて形成してもよい。また上述の仮組みを考慮しない場合には回路基板や遮蔽板のスリットを省略でき、例えば遮蔽板を高さＨ１とＨ２の部分に分割して構成し、それぞれを別途に回路基板に固定することも可能である。また本体カバーの押圧力が無視できる場合には、本体カバーに対する接触端部を単なる直線状にしてもよい。さらに回路基板と遮蔽板との仮組は、スリットを介して行われなくともよく、互いの交差角度を非直交状にした状態で組合わせられる構造であればよい。
【００３４】
【発明の効果】
これまで説明したように請求項１に記載の本発明は、回路基板の複数の接続線路の相互間に、該相互間における漏れ信号を遮蔽する遮蔽板を備えたことにより、接続線路の相互間の端子間分離度を向上させることができ、ノイズを生じさせることなくＴＶ信号の伝送を行うことができる。
【００３７】
しかも本発明は、ユニット本体に固定され回路基板及び遮蔽板をユニット本体の外部に対して非露出状とする本体カバーを備え、遮蔽板の本体カバーに対する接触端部を本体カバーに対して非直交状となる湾曲形状としたことにより、遮蔽板に加わる押圧力を非直交方向へ逃がすことができ、本体カバーの取付けを容易に行うことができると共に、遮蔽板を不用意に変形させることがない。
【００３８】
また請求項２に記載の本発明は、本体カバーには回路基板における複数の接続線路の相互間に向けて突出する第１の分割板を設け、ユニット本体には回路基板における複数の接続線路の相互間に向けて突出する第２の分割板を設け、これら第１の分割板と第２の分割板にて回路基板を挟持することにより遮蔽板を形成することにより、本体カバーをユニット本体に対して固定するだけで遮蔽板を構成してその取付けを行うことができる。
【００３９】
さらにまた請求項３に記載の本発明は、回路基板にはアースパターンを設け、第１の分割板又は第２の分割板の少なくともいずれか一方にはいずれか他方に向けて突出する突出片を設け、回路基板には突出片を略貫通させる貫通部を設け、該貫通部に略貫通させた突出片を介して第１の分割板と第２の分割板とを相互に接触させたことにより、回路基板の片面にのみアースパターンを設けた場合であっても第１の分割板と第２の分割板とを直接的又は間接的にアースパターンに接続することができ、漏れ信号を確実に遮蔽することができる。
【図面の簡単な説明】
【図１】従来及び本発明の第１の実施形態に共通の２系統用直列ユニットの側面図である。
【図２】図１の２系統用直列ユニットの背面図である。
【図３】本実施形態における２系統用直列ユニットの分解斜視図である。
【図４】遮蔽板を示す図であり、（ａ）は正面図、（ｂ）は側面図である。
【図５】回路基板と遮蔽板を相互に組合わせた状態の斜視図である。
【図６】ユニット本体内部に回路基板及び遮蔽板を配置すると共に回路基板をユニット本体に対して固定した状態の斜視図である。
【図７】遮蔽板を回路基板に対して固定した状態の斜視図である。
【図８】本発明の第２の実施形態における２系統用直列ユニットの分解斜視図である（本体カバーの一部を破断して示す）。
【図９】従来の回路基板の接続線路の概念図である。
【符号の説明】
１  ユニット本体
２  回路基板
３  遮蔽板
４  本体カバー
５  建屋壁面
６ａ、６ｂ、７ａ、７ｂ  同軸ケーブル
８、９  半田
１０ａ、１０ｂ  入力端子
１１ａ、１１ｂ  出力端子
１２  固定ピン
１３  取付耳部
１４  リブ
１５  内部ピース
２０ａ、２０ｂ  接続線路
２０ｃ  アースパターン
２１、３２  切欠部
２２、３１  スリット
２３  貫通孔
３３  接触端部
３４  第１の分割板
３５  第２の分割板
３７  突出片
【図１】
0004111475.tif 000002
【図２】
0004111475.tif 000003
【図３】
0004111475.tif 000004
【図４】
0004111475.tif 000005
【図５】
0004111475.tif 000006
【図６】
0004111475.tif 000007
【図７】
0004111475.tif 000008
【図８】
0004111475.tif 000009
【図９】
0004111475.tif 000010